(57)【要約】      （修正有）【課題】光が看板に均一に照射され、照明効果が改善するＬＥＤ看板ランプを提供する。【解決手段】ランプ本体１及びランプ本体１に設けられている複数の光学レンズモジュール２を含む少なくとも１つの照明ユニットと、照明ユニットを看板３に固定するための少なくとも１本のガイドレール４と、を含むＬＥＤ看板ランプであって、看板３に垂直な平面が存在し、ランプ本体１の光学レンズモジュール２が取り付けられるための取り付け面と当該平面とのなす角度はａであり、且つ０°＜ａ＜１０°である。【選択図】図３
0003231521.tif 000002
【実用新案登録請求の範囲】
【請求項１】
ランプ本体及びランプ本体に設けられている複数の光学レンズモジュールを含む少なくとも１つの照明ユニットと、照明ユニットを看板に固定するための少なくとも１本のガイドレールと、を含むＬＥＤ看板ランプであって、看板に垂直な平面が存在し、前記ランプ本体の光学レンズモジュールが取り付けられるための取り付け面と当該平面とのなす角度はａであり、且つ００＜ａ＜１００である、ことを特徴とするＬＥＤ看板ランプ。
【請求項２】
前記ランプ本体のガイドレールに接続されている端面には、第１の引っ掛け部材及び第２の引っ掛け部材が設けられており、ガイドレールには、第１の引っ掛け部材及び第２の引っ掛け部材にそれぞれ接続されている上溝体及び下吊り板が設けられている、ことを特徴とする請求項１に記載のＬＥＤ看板ランプ。
【請求項３】
前記第１の引っ掛け部材及び第２の引っ掛け部材の横断面はいずれもＵ字型となっている、ことを特徴とする請求項２に記載のＬＥＤ看板ランプ。
【請求項４】
前記照明ユニットは２つ以上あり、ガイドレールは２本以上あり、「一」字型に配置されており、隣接する２本のガイドレールはストレートナーでつなぎ合わせられる、ことを特徴とする請求項２に記載のＬＥＤ看板ランプ。
【請求項５】
前記ストレートナーは、平板状の本体と、本体内に設けられているネジ穴と、本体の一方の表面に設けられている上支持バー及び下支持バーと、を含み、上支持バー及び下支持バーは横方向に設けられており、前記ネジ穴は上支持バーと下支持バーとの間に位置する、ことを特徴とする請求項４に記載のＬＥＤ看板ランプ。
【請求項６】
本体の他方の表面には、互いに平行で本体に垂直な２本のプラグポストがさらに設けられており、前記２本のプラグポストと本体との結合箇所での中心の連結線は本体の側縁に平行である、ことを特徴とする請求項５に記載のＬＥＤ看板ランプ。
【請求項７】
前記ランプ本体のガイドレールに接続されている端面には、第１の引っ掛け部材と第２の引っ掛け部材との間に位置する２つの引っ掛けブラケットがさらに設けられており、前記引っ掛けブラケットは、底板と底板に接続されている取り付け板とを含み、前記取り付け板の２つの表面には、それぞれ対応する表面から突出する引っ掛け部が設けられており、前記引っ掛け部は折り板である、ことを特徴とする請求項２に記載のＬＥＤ看板ランプ。
【請求項８】
前記光学レンズモジュールは、ハウジングと、ハウジングの内底面に設けられている回路基板と、回路基板に設けられている複数のＬＥＤと、ＬＥＤの外部に覆設され、回路基板に接続されている光学キャビティと、ハウジング内に設けられ、それぞれ光学キャビティの両側に位置する２つの屈折斜面と、ハウジング上に設けられている光出射面と、を含む、ことを特徴とする請求項２に記載のＬＥＤ看板ランプ。
【請求項９】
前記光出射面には、ＬＥＤの数と一致する数の円形の光出射領域が設けられており、各ＬＥＤの直前には円形の光出射領域が設けられており、円形の光出射領域の表面には菱形模様領域が設けられている、ことを特徴とする請求項８に記載のＬＥＤ看板ランプ。
【請求項１０】
前記光出射面には、三角形の横断面を有する凸条がハウジングの長手方向に沿って設けられており、前記凸条の一方の表面は光屈折面である、ことを特徴とする請求項８に記載のＬＥＤ看板ランプ。
【考案の詳細な説明】
【技術分野】
【０００１】
本考案は、照明器具の技術分野に関し、具体的には看板を照明するためのＬＥＤランプに関する。
【背景技術】
【０００２】
社会の発展に伴い、現在、看板照明器具は、次第に屋外照明の非常に重要な分野になっている。看板照明は、商業機能に加えて、都市照明の重要な面も有する。看板ランプは、特別な照明の分野として、取り付け、配光などのいずれにも特別な要求がある。特に屋外の大型看板は、その取り付け高さが非常に高く、照射の面積が非常に大きい。これらはいずれも照明器具に高い要求をする。現在の看板照明器具は、主にシングル照射モードを採用するものであり、即ち上方照射又は下方照射に分けられる。複数のランプは、取り付けロッドにより看板の前面まで延び、看板の上前方又は下前方に並んでいる。延び長さ及びランプとランプとの間の距離は、実際の要求に応じて調整される。看板照明器具は、一般に、１：防雨性と耐日光性を有し、十分な防護レベルを有する必要があり、屋外の耐用年数が延長され、防水性、防塵性のレベルがＩＰ６５に達すること、２：専門的な配光曲線を有して異なる看板の照度と均一性を満たすこと、３：製品の取り付け易さ、汎用性が高く、人件費が削減されること、が要求される。しかしながら、従来の看板ランプでは、１：ランプが一灯式で間隔をあけて配列され、ランプとランプとの間に重複領域又は空き領域が発生しやすく、明るすぎるスポット又は暗い領域が発生しやすい、２：それらのほとんどは、投光照明ランプを採用して看板照明に直接適用し、配光が指向性を有せず、照度、均一性などの光学パラメータが最適な効果を達成しない、３：それらのほとんどは、照度値を考慮するとともにレイアウト全体の平均照度を考慮しないため、局所的な明るいスポット又は暗いスポットが発生してしまうという欠点がある。
【考案の概要】
【考案が解決しようとする課題】
【０００３】
従来技術の欠点を克服するために、本考案は、看板ランプの照度、均一性の課題を解決して照明効果を最適化することができるＬＥＤ看板ランプを提供することを目的とする。
【課題を解決するための手段】
【０００４】
上記した目的を達成するために、本考案で採用する技術方案は、ランプ本体及びランプ本体に設けられている複数の光学レンズモジュールを含む少なくとも１つの照明ユニットと、照明ユニットを看板に固定するための少なくとも１本のガイドレールと、を含むＬＥＤ看板ランプであって、看板に垂直な平面が存在し、前記ランプ本体の光学レンズモジュールが取り付けられるための取り付け面と当該平面とのなす角度はａであり、且つ００＜ａ＜１００であるＬＥＤ看板ランプである。鉛直取付という一般的な方式で看板を取り付けると、看板に垂直な平面は水平面となるので、ランプ本体の光学レンズモジュールが取り付けられるための取り付け面と水平面との夾角がａであり、このような取り付け方式で取り付けられる光学レンズモジュールは、その光が看板に均一に照射され、照明効果が改善される。
【０００５】
さらには、ランプ本体をガイドレールに取り付けるために、前記ランプ本体のガイドレールに接続されている端面には、第１の引っ掛け部材及び第２の引っ掛け部材が設けられており、ガイドレールには、第１の引っ掛け部材及び第２の引っ掛け部材にそれぞれ接続されている上溝体及び下吊り板が設けられている。
【０００６】
好ましくは、前記第１の引っ掛け部材及び第２の引っ掛け部材の横断面はいずれもＵ字型となっている。
【０００７】
好ましくは、前記照明ユニットは２つ以上あり、ガイドレールは２本以上あり、「一」字型に配置されており、隣接する２本のガイドレールはストレートナーでつなぎ合わせられる。
【０００８】
好ましくは、前記ストレートナーは、平板状の本体と、本体内に設けられているネジ穴と、本体の一方の表面に設けられている上支持バー及び下支持バーと、を含み、上支持バー及び下支持バーは横方向に設けられており、前記ネジ穴は上支持バーと下支持バーとの間に位置する。
【０００９】
本体の他方の表面には、互いに平行で本体に垂直な２本のプラグポストがさらに設けられており、前記２本のプラグポストと本体との結合箇所での中心の連結線は本体の側縁に平行である。
【００１０】
取り付けを容易にするために、前記ランプ本体のガイドレールに接続されている端面には、第１の引っ掛け部材と第２の引っ掛け部材との間に位置する２つの引っ掛けブラケットがさらに設けられており、前記引っ掛けブラケットは、底板と底板に接続されている取り付け板とを含み、前記取り付け板の２つの表面には、それぞれ対応する表面から突出する引っ掛け部が設けられており、前記引っ掛け部は折り板である。
【００１１】
好ましくは、前記光学レンズモジュールは、ハウジングと、ハウジングの内底面に設けられている回路基板と、回路基板に設けられている複数のＬＥＤと、ＬＥＤの外部に覆設され、回路基板に接続されている光学キャビティと、ハウジング内に設けられ、それぞれ光学キャビティの両側に位置する２つの屈折斜面と、ハウジング上に設けられている光出射面と、を含む。
【００１２】
好ましくは、前記光出射面には、ＬＥＤの数と一致する数の円形の光出射領域が設けられており、各ＬＥＤの直前には円形の光出射領域が設けられており、円形の光出射領域の表面には菱形模様領域が設けられている。
【００１３】
好ましくは、前記光出射面には、三角形の横断面を有する凸条がハウジングの長手方向に沿って設けられており、前記凸条の一方の表面は光屈折面である。
【考案の効果】
【００１４】
有益な技術効果は以下のとおりである。ランプ本体の光学レンズモジュールが取り付けられるための取り付け面と水平面との夾角がａであり、このような取り付け方式で取り付けられる光学レンズモジュールは、従来の同種の製品に比べると、その光が看板に均一に照射され、照明効果の改善に役立つ。
【図面の簡単な説明】
【００１５】
【図１】本考案の実施例の照明ユニットとガイドレールを組み立てた後の斜視図である。
【図２】本考案の実施例の照明ユニットとガイドレールの分解図である。
【図３】本考案の実施例の使用状態の模式図である。
【図４】本考案の照明ユニットとガイドレールを取り付ける過程の模式図である。
【図５】本考案の照明ユニットとガイドレールの取り付けが完了した後の模式図である。
【図６】本考案の２本以上のガイドレールをつなぎ合わせる模式図である。
【図７】本考案の２本以上のガイドレールのつなぎ合わせが完了した後の斜視図である。
【図８】本考案の２本以上のガイドレールをつなぎ合わせた後に照明ユニットを取り付ける斜視図である。
【図９】本考案の照明器具が看板の下端に取り付けられた斜視図である。
【図９−１】本考案の照明器具が看板の下端に取り付けられた模式図である。
【図９−２】本考案の照明器具が看板の下端に取り付けられた使用状態図である。
【図１０】本考案の引っ掛けブラケットの第一斜視図である。
【図１１】本考案の引っ掛けブラケットの第二斜視図である。
【図１２】本考案のストレートナーの第一斜視図である。
【図１３】本考案のストレートナーの第二斜視図である。
【図１４】本考案の第一種の光学レンズモジュールの上面図である。
【図１５】本考案の第一種の光学レンズモジュールの横断面図である。
【図１６】本考案の第一種の光学レンズモジュールの斜視図である。
【図１７】本考案の第二種の光学レンズモジュールの斜視図である。
【図１８】本考案の第二種の光学レンズモジュールの横断面図である。
【図１９】本考案の第二種の光学レンズモジュールの背面斜視図である。
【図２０】本考案の第三種の光学レンズモジュールの斜視図である。
【図２１】本考案の第三種の光学レンズモジュールの横断面図である。
【図２２】本考案の第三種の光学レンズモジュールの背面斜視図である。
【考案を実施するための形態】
【００１６】
当業者に本考案の方案をより良好に理解させるために、以下に、図面及び実施形態に基づいて本考案を更に詳細に説明する。
【００１７】
図１〜２に示すように、ＬＥＤ看板ランプは少なくとも１つの照明ユニットを含み、本考案の実施例の照明ユニットは、単独の照明器具であり、ランプ本体１及びランプ本体に設けられている複数の光学レンズモジュール２を含み、照明ユニットを看板３に固定するために少なくとも１本のガイドレール４が必要であり、看板３に垂直な平面が存在する。鉛直取付という一般的な方式で看板を取り付けると、看板３に垂直な平面は水平面となるが、前記ランプ本体１の光学レンズモジュール２が取り付けられるための取り付け面と当該平面とのなす角度はａであり、ここで角度ａの範囲は００＜ａ＜１００である。
【００１８】
照明ユニットに設けられる光学レンズモジュール２の数は実際の状況に応じて決められ、図２に示すように、本実施例の照明ユニットに設けられる光学レンズモジュール２は２つである。
【００１９】
図２〜４に示すように、ランプ本体１をガイドレール４に取り付けるために、前記ランプ本体のガイドレールに接続されている端面には、第１の引っ掛け部材５及び第２の引っ掛け部材６が設けられており、ガイドレール４には、第１の引っ掛け部材５及び第２の引っ掛け部材６にそれぞれ接続されている上溝体７及び下吊り板８が設けられている。
【００２０】
ここで、前記第１の引っ掛け部材５及び第２の引っ掛け部材６の横断面はいずれもＵ字型となっている。上溝体７及び下吊り板８はガイドレール４と一体的に成型される。
【００２１】
具体的には、図４に示すように、ランプ本体１とガイドレール４を組み立てる時、第１の引っ掛け部材５における第１の内溝５０１が下吊り板８に引っ掛けられ、第２の引っ掛け部材６における第２の内溝６０１が上溝体７に引っ掛けられる。
【００２２】
図４〜５、図１０〜１１に示すように、取り付けを容易にするために、前記ランプ本体１のガイドレール４に接続されている端面には、第１の引っ掛け部材５と第２の引っ掛け部材６との間に位置する２つの引っ掛けブラケット９がさらに設けられており、前記引っ掛けブラケット９は、底板９０１と底板に接続されている取り付け板９０２とを含み、前記取り付け板９０２の２つの表面には、それぞれ対応する表面から突出する引っ掛け部９０３が設けられており、前記引っ掛け部９０３は折り板である。図４に示すように、照明ユニットを取り付ける時、まず引っ掛け部９０３を下吊り板８に引っ掛け、続いて配線等の作業を完成し、最後に照明ユニットをガイドレール４に取り付け、よって、取り付けが完了する。したがって、引っ掛けブラケット９を設け、照明ユニットを取り付ける時、ガイドレール４を看板に固定し、続いて照明ユニットをガイドレール４に引っ掛け、このように、一人で取り付けを完成でき、取り付けやすくなり、労力を省くことに役立つ。
【００２３】
図６〜８に示すように、使用場合の違いにより、前記照明ユニットは２つ以上あり、それに対応し、ガイドレール４は、２本以上あり、「一」字型に配置されており、隣接する２本のガイドレール４はストレートナー１０でつなぎ合わせられる。本実施例は、２つの照明ユニットを設けることを例に説明し、ガイドレール４が２本あり、両者が一字型に配列され、ストレートナー１０でつなぎ合わせられる。
【００２４】
図１２〜１３に示すように、前記ストレートナー１０は、平板状の本体１００１と、本体内に設けられているネジ穴１００２と、本体の一方の表面に設けられている上支持バー１００３及び下支持バー１００４と、を含み、上支持バー及び下支持バーは横方向に設けられており、前記ネジ穴１００２は上支持バーと下支持バーとの間に位置する。
【００２５】
本体１００１の他方の表面には、互いに平行で本体に垂直な２本のプラグポスト１００５がさらに設けられており、前記２本のプラグポストと本体１００１との結合箇所での中心の連結線は本体の側縁に平行である。
【００２６】
ストレートナー１０がガイドレール４のうちの一方の一端に事前に取り付けられており、ガイドレールのうちの他方がストレートナー１０に挿入された後に、ボルトで２本目のガイドレールを固定し、これによって類推し、３本目、４本目又はそれ以上のガイドレール４を順次取り付けることができる。
【００２７】
前記実施例の照明ユニット及びガイドレール４は、看板の上端に取り付けられ、光が下向きに照射されるが、図９、９−１、９−２に示すように、照明ユニット及びガイドレール４は、看板の下端に取り付けられ、光が上向きに照射されてもよい。
【００２８】
ここで、前記光学レンズモジュール２は、異なる需要を満たすために、それぞれ以下の２種類の構造を採用する。
【００２９】
図１４〜１６に示すように、光学レンズモジュール２は、ハウジング２０１と、ハウジングの内底面に設けられている回路基板２０２と、回路基板に設けられている複数のＬＥＤ  ２０３と、ＬＥＤの外部に覆設され、回路基板に接続されている光学キャビティ２０４と、ハウジング２０１内に設けられ、それぞれ光学キャビティの両側に位置する２つの屈折斜面２０５と、ハウジング２０１上に設けられている光出射面２０１ａと、を含む。
【００３０】
前記光出射面２０１ａには、ＬＥＤの数と一致する数の円形の光出射領域が設けられており、各ＬＥＤの直前には円形の光出射領域が設けられており、円形の光出射領域の表面には菱形模様領域２０６が設けられている。
【００３１】
ＬＥＤ  ２０３は、回路基板２０２に実装され、ＬＥＤ  ２０３から発する光の大部分は、光学キャビティ２０４及び屈折斜面２０５で反射され、光出射面２０１ａで屈折した後に出射され、所定の位置に照射される。ここで、光学キャビティ２０４は、大量の光学シミュレーション、計算により設計された、特定の形状を有するキャビティであり、主に特定の形状の曲線により、光を看板３の側にできる限り屈折させ、つまり、光学レンズモジュール２は、偏光設計を行ったものである。レンズの厚さの差異による異なる程度の屈折の発生、及び各屈折面の曲線設計により、光の大部分を光出射面２０１ａに屈折させることができる。ここで、光出射面２０１ａにＬＥＤ  ２０３に対応する複数の菱形模様領域２０６が設計され、よって、一方では光源を遮断する役割を果たし、他方では主に拡散反射の役割を果たし、光を均一にする。
【００３２】
図１７〜１９に示すように、ここで示される光学レンズモジュールの構造は、前記光出射面２０１ａに、三角形の横断面を有する凸条２０７がハウジングの長手方向に沿って設けられ、前記凸条２０７の一方の表面が光屈折面であり、ここでの凸条２０７がハウジング２０１と一体的に成型される点で前記光学レンズモジュールの構造と異なる。同様に、ＬＥＤ  ２０３は、回路基板２０２に実装され、ＬＥＤ  ２０３から発する光の大部分は、光学キャビティ２０４及び屈折斜面２０５で反射され、光出射面２０１ａで屈折した後に出射され、所定の位置に照射される。ここで、光学キャビティ２０４は、大量の光学シミュレーション、計算により設計された、特定の形状を有するキャビティであり、主に特定の形状の曲線により、光をできる限り光出射面２０１ａで直線状に出射させる。ここで、凸条２０７の光屈折面とする一方の表面で、光が屈折して一方の側に偏光され、偏光の方向が看板３の存在する位置である。
【００３３】
以上の光学レンズモジュールの配光設計を採用することにより、平均照度が５００ｌｕｘを超え、均一性が０．４を超えることを実現し、局所的な明るいスポット又は暗いスポットの発生を回避し、視覚的な不快感を回避することができる。
【００３４】
図２０〜２２に示すように、ここで示される光学レンズモジュールの構造は、第一種の光学レンズモジュールの構造と類似し、内部構造の点で異なり、即ち、第一種の光学レンズモジュールはランプカップ型の構造を採用するが、ここでは、図２２、図１６に示す構造のような長尺溝構造を採用する。
【００３５】
以上の説明において、説明すべきこととして、「取り付ける」、「繋がる」、「接続する」という用語等の相当の用語は、広い意味で理解されるべきであり、例えば、固定接続であってもよく、着脱可能な接続であってもよく、一体的接続であってもよく、また、直接接続であってもよく、中間媒体による間接接続であってもよく、２つの部材の内部の連通であってもよい。
【００３６】
以上に説明された実施例が本考案の実施例の一部に過ぎず、全ての実施例ではなく、図面に本考案の好ましい実施例が示されているが、これらが本考案の請求の範囲を制限しないことが明らかである。本考案は、多くの異なる形態で実現されることができ、逆に、これらの実施例を提供する目的は、本考案の開示内容がより徹底的かつ完全に理解されることである。本考案の明細書及び図面の内容による同等の構造であれば、他の関連する技術分野に直接又は間接的に適用される場合に、同様に本考案の請求の保護範囲内に含まれる。
【図１】
0003231521.tif 000003
【図２】
0003231521.tif 000004
【図３】
0003231521.tif 000005
【図４】
0003231521.tif 000006
【図５】
0003231521.tif 000007
【図６】
0003231521.tif 000008
【図７】
0003231521.tif 000009
【図８】
0003231521.tif 000010
【図９】
0003231521.tif 000011
【図９−１】
0003231521.tif 000012
【図９−２】
0003231521.tif 000013
【図１０】
0003231521.tif 000014
【図１１】
0003231521.tif 000015
【図１２】
0003231521.tif 000016
【図１３】
0003231521.tif 000017
【図１４】
0003231521.tif 000018
【図１５】
0003231521.tif 000019
【図１６】
0003231521.tif 000020
【図１７】
0003231521.tif 000021
【図１８】
0003231521.tif 000022
【図１９】
0003231521.tif 000023
【図２０】
0003231521.tif 000024
【図２１】
0003231521.tif 000025
【図２２】
0003231521.tif 000026